(57)【特許請求の範囲】
【請求項１】
正多角形の台紙の各頂点を結ぶ仮想の円の、各頂点を通る接線に平行な直線を当該正多角形の各頂点より中心側において引き、当該直線より外側の部分を切除し、
前記各直線と、前記正多角形の各頂点で交わる前記正多角形の二辺との交点を求め、
前記正多角形の各辺に定められた前記２つの交点の間を、当該正多角形の中心側に凸湾するように湾曲する湾曲線で結び、当該湾曲線より外側の部分を切除し
てなるキルト用型紙。
【請求項２】
正多角形の台紙の各頂点を結ぶ仮想の円の、各頂点を通る接線に平行な第一の直線を当該正多角形の各頂点より中心側において引き、当該第一の直線より外側の部分を切除し、
前記各第一の直線と、前記正多角形の各頂点で交わる前記正多角形の二辺との交点を求め、
前記正多角形の各辺に定められた前記２つの交点の間を、当該正多角形の中心側に凸湾するように湾曲する第一の湾曲線で結び、当該第一の湾曲線より外側の部分を切除し、
更に、前記第一の直線より内側に前記第一の直線に平行に第二の直線を引き、この第二の直線より外側の部分を切除し、
前記第二の直線と、前記第一の湾曲線との交点を求め、前記第一の湾曲線に定められた前記２つの交点の間を、当該正多角形の中心側に向けて、前記第一の湾曲線より大きく凸湾するように湾曲する第二の湾曲線で結び、当該第二の湾曲線より外側の部分を切除し
てなるキルト用型紙。
【請求項３】
正多角形の台紙の各頂点を結ぶ仮想の円の、各頂点を通る接線に平行な第一の直線を当該正多角形の各頂点より中心側において引き、当該第一の直線より外側の部分を切除し、
前記各第一の直線と、前記正多角形の各頂点で交わる前記正多角形の二辺との交点を求め、
前記正多角形の各辺に定められた前記２つの交点の間を、当該正多角形の中心側に凸湾するように湾曲する第一の湾曲線で結び、当該第一の湾曲線より外側の部分を切除し、
更に、前記正多角形の中心側に向けて第一の湾曲線より大きく凸湾するように湾曲すると共に、前記各第一の直線の方向に向かってなだらかに湾曲して向かい、前記各第一の直線の中心に内側から接触する第三の湾曲線を引き、当該第三の湾曲線より外側の部分を切除し
てなるキルト用型紙。
【請求項４】
請求項１乃至請求項３のいずれか一項記載のキルト用型紙に合わせて生地を切断し、
切断した生地の周囲を所定の幅で生地の裏側に折り返し、
折り山から所定の間隔の部分を所定の針目でキルト糸によってぐし縫いし、
前記生地の周囲を縫い終えた後、外表にして前記キルト糸を絞り、
中央部に形成される穴を絞って玉止めする
キルトの作製方法。
【発明の詳細な説明】
【技術分野】
【０００１】
この発明は、キルト用型紙及びこれを用いたキルトの作製方法に関する。
【背景技術】
【０００２】
ヨーヨーキルトは１９２０年代から１９４０年代にかけて米国で大きな人気を博したものである。
【０００３】
このヨーヨーキルトは、円形の型紙を用い、この円形の型紙に合わせて切断した円形の生地から作製されるのが一般的である。
【０００４】
すなわち、円形状の生地の周囲を所定の幅で生地の裏側に折り返す。そして、外周縁となった折り山から所定の間隔の部分を所定の針目でキルト糸によってぐし縫いする。こうして生地の周囲を縫い終えた後、外表にしてキルト糸を絞り、中央部に形成される穴を絞って玉止めして作製している。
【０００５】
このヨーヨーキルトは、小さな円形状の布を持ち歩いていれば、いつでもどこでも作製することができる。そして、作製した１個、１個のヨーヨーキルトを順次縫い付けてつなげていくことにより、全体として立体的な形状、模様を形作ることができる。
【０００６】
また、種々の色のヨーヨーキルトを複数個作製し、１個、１個、順次縫い付けてつなげることにより、彩色豊かで、デザイン的に優れた模様を形成することができる。これを例えば、カーテンとして使用することもできる。
【０００７】
また、１個、１個のヨーヨーキルトを、それぞれ、スカートのすそや、襟元、スリッパ、写真立てに取り付ける、等にして、新しいデザインを楽しむこともできる。
【０００８】
従来からパッチワークキルト、特に、リバーシブルパッチワークキルトに関しては、種々の提案がされている（例えば、特許文献１、２）。しかし、ヨーヨーキルトに関しては、特に新しい提案はされていなかった。
【特許文献１】特開平１０−２７７２７９号公報
【特許文献２】特開２００２−３３９２７２号公報
【発明の開示】
【発明が解決しようとする課題】
【０００９】
前述したように、従来からヨーヨーキルトは大きな人気を博してきたが、その形状は、円形状の生地を用いて作製することにより円形状であることが一般的であった。
【００１０】
このため、複数個のヨーヨーキルトを平面の上に互いに隣接させて配置し、隣接するヨーヨーキルト同士をつなげようとすると、円形状のヨーヨーキルトの外周縁の一点と、隣接する円形状のヨーヨーキルトの外周縁の一点とをつなぐことになってしまう。その結果、隣接するヨーヨーキルト同士のすべての辺をつなぐことができないので、不安定になってしまう、という問題があった。
【００１１】
また、従来、立体感のある、３Ｄ的なヨーヨーキルトは、作製されていなかった。
【００１２】
そこで、この発明は、複数個のキルト、例えば、複数個のヨーヨーキルトを、平面の上に互いに隣接させて配置し、隣接するキルト同士、例えば、隣接するヨーヨーキルト同士をつなげるときに、安定感を持ってつなげることが可能なキルト、例えば、ヨーヨーキルトと、この作製を可能にするキルト用型紙を提供することを目的にしている。
【００１３】
更に、この発明は、ヨーヨーキルトの中央部に形成される円形状の穴の周囲から外周側に向かって延びるギャザーを形成する皺が、立体的なヨーヨーキルト、すなわち３Ｄキルトの形成に利用できるよう、平面視で多角形状のヨーヨーキルトの各頂点に向かう方向においてのみ形成されるヨーヨーキルトと、この作製を可能にするキルト用型紙を提供することを目的にしている。
【課題を解決するための手段】
【００１４】
前記目的を達成するため、この発明が提案するキルト用型紙は、
正多角形の台紙の各頂点を結ぶ仮想の円の各頂点を通る接線に平行な直線を当該正多角形の各頂点より中心側において引き、当該直線より外側の部分を切除し、
前記各直線と、前記正多角形の各頂点で交わる前記正多角形の二辺との交点を求め、
前記正多角形の各辺に定められた前記２つの交点の間を、当該正多角形の中心側に凸湾するように湾曲する湾曲線で結び、当該湾曲線より外側の部分を切除し
てなるものである。
【００１５】
また、他のキルト用型紙は、
正多角形の台紙の各頂点を結ぶ仮想の円の各頂点を通る接線に平行な第一の直線を当該正多角形の各頂点より中心側において引き、当該第一の直線より外側の部分を切除し、
前記各第一の直線と、前記正多角形の各頂点で交わる前記正多角形の二辺との交点を求め、
前記正多角形の各辺に定められた前記２つの交点の間を、当該正多角形の中心側に凸湾するように湾曲する第一の湾曲線で結び、当該第一の湾曲線より外側の部分を切除し、
更に、前記第一の直線より内側に前記第一の直線に平行に第二の直線を引き、この第二の直線より外側の部分を切除し、
前記第二の直線と、前記第一の湾曲線との交点を求め、前記第一の湾曲線に定められた前記２つの交点の間を、当該正多角形の中心側に向けて、前記第一の湾曲線より大きく凸湾するように湾曲する第二の湾曲線で結び、当該第二の湾曲線より外側の部分を切除し
てなるものである。
【００１６】
更に他のキルト用型紙は、
正多角形の台紙の各頂点を結ぶ仮想の円の各頂点を通る接線に平行な第一の直線を当該正多角形の各頂点より中心側において引き、当該第一の直線より外側の部分を切除し、
前記各第一の直線と、前記正多角形の各頂点で交わる前記正多角形の二辺の交点を求め、
前記正多角形の各辺に定められた前記２つの交点の間を、当該正多角形の中心側に凸湾するように湾曲する第一の湾曲線で結び、当該第一の湾曲線より外側の部分を切除し、
更に、前記正多角形の中心側に向けて第一の湾曲線より大きく凸湾するように湾曲すると共に、前記各第一の直線の方向に向かってなだらかに湾曲して向かい、前記各第一の直線の中心に内側から接触する第三の湾曲線を引き、当該第三の湾曲線より外側の部分を切除し
てなるものである。
【００１７】
また、前記目的を達成するため、この発明が提案するキルトの作製方法は、
前述したいずれかの本発明のキルト用型紙に合わせて生地を切断し、
切断した生地の周囲を所定の幅で生地の裏側に折り返し、
折り山から所定の間隔の部分を所定の針目でキルト糸によってぐし縫いし、
前記生地の周囲を縫い終えた後、外表にして前記キルト糸を絞り、
中央部に形成される穴を絞って玉止めする
ものである。
【００１８】
更に、前記目的を達成するため、この発明が提案するキルト、例えば、ヨーヨーキルトは、前述した本発明のキルトの作製方法によって作製されるものである。
【発明の効果】
【００１９】
この発明によれば、複数個のキルト、例えば、複数個のヨーヨーキルトを、平面の上に互いに隣接させて配置し、隣接するキルト同士、例えば、隣接するヨーヨーキルト同士をつなげるときに、安定感を持ってつなげることが可能なキルト、例えば、ヨーヨーキルトと、この作製を可能にするキルト用型紙を提供することができる。
【００２０】
更に、この発明によれば、ヨーヨーキルトの中央部に形成される円形状の穴の周囲から外周側に向かって延びるギャザーを形成する皺が、立体的なヨーヨーキルト、すなわち３Ｄキルトの形成に利用できるよう、平面視で多角形状のヨーヨーキルトの各頂点に向かう方向においてのみ形成されるヨーヨーキルトと、この作製を可能にするキルト用型紙を提供することができる。
【発明を実施するための最良の形態】
【００２１】
以下、添付図面を参照して本発明の好ましい実施形態をいくつかの実施例により説明する。
【実施例１】
【００２２】
図１〜図６を参照して、この発明のキルト用型紙の一例を説明する。
【００２３】
図１（ｃ）図示の本発明のキルト用型紙１ｂは、例えば、次のようにして調製することができる。
【００２４】
まず、正三角形の台紙１の各頂点２ａ、２ｂ、２ｃを結ぶ仮想の円１００を考える（図１（ａ））。
【００２５】
次に、頂点２ａを通る仮想の円１００の接線４ａに平行な直線５ａを正三角形の頂点２ａより中心側において引く。そして、直線５ａより外側の部分を切除する。
【００２６】
同様に、頂点２ｂを通る仮想の円１００の接線４ｂに平行な直線５ｂを正三角形の頂点２ｂより中心側において引く。そして、直線５ｂより外側の部分を切除する。
【００２７】
また、頂点２ｃを通る仮想の円１００の接線４ｃに平行な直線５ｃを正三角形の頂点２ｃより中心側において引く。そして、直線５ｃより外側の部分を切除する。
【００２８】
こうして図１（ｂ）に符号１ａで示す中間の型紙が形成される。
【００２９】
そして、図１（ｂ）図示のように、正三角形の頂点２ａで交わる正三角形の二辺３ａ、３ｃと、直線５ａとの交点６ａ、６ｂが求まる。
【００３０】
同様に、正三角形の頂点２ｂで交わる正三角形の二辺３ａ、３ｂと、直線５ｂとの交点７ｂ、７ａが求まる。
【００３１】
また、正三角形の頂点２ｃで交わる正三角形の二辺３ｂ、３ｃと、直線５ｃとの交点８ｂ、８ａが求まる。
【００３２】
次に、正三角形の辺３ａに定められた２つの交点６ａ、７ｂの間を、正三角形の中心側に凸湾するように湾曲する湾曲線９ａで結ぶ。そして、湾曲線９ａより外側の部分を切除する。
【００３３】
同様に、正三角形の辺３ｂに定められた２つの交点７ａ、８ｂの間を、正三角形の中心側に凸湾するように湾曲する湾曲線９ｂで結ぶ。そして、湾曲線９ｂより外側の部分を切除する。
【００３４】
また、正三角形の辺３ｃに定められた２つの交点８ａ、６ｂの間を、正三角形の中心側に凸湾するように湾曲する湾曲線９ｃで結ぶ。そして、湾曲線９ｃより外側の部分を切除する。
【００３５】
こうして図１（ｃ）に符号１ｂで示す本発明のキルト用型紙が作製される。
【００３６】
図１（ａ）〜図１（ｃ）では正三角形の台紙１を出発形状として作製される本発明のキルト用型紙１ｂを説明した。
【００３７】
図２（ｃ）に符号１１ｂで示す本発明のキルト用型紙１１ｂは、例えば、図２（ａ）〜図２（ｃ）の工程で調製することができる。これは、正四角形の台紙１１を出発形状として調製するものである。
【００３８】
まず、正四角形の台紙１１の各頂点１２ａ、１２ｂ、１２ｃ、１２ｄを結ぶ仮想の円（不図示）を考える（図２（ａ））。
【００３９】
次に、頂点１２ａを通る仮想の円の接線に平行な直線１５ａを正四角形の頂点１２ａより中心側において引く。そして、直線１５ａより外側の部分を切除する。
【００４０】
同様に、頂点１２ｂを通る仮想の円の接線に平行な直線１５ｂを正四角形の頂点１２ｂより中心側において引く。そして、直線１５ｂより外側の部分を切除する。
【００４１】
また、頂点１２ｃを通る仮想の円の接線に平行な直線１５ｃを正四角形の頂点１２ｃより中心側において引く。そして、直線１５ｃより外側の部分を切除する。
【００４２】
更に、頂点１２ｄを通る仮想の円の接線に平行な直線１５ｄを正四角形の頂点１２ｄより中心側において引く。そして、直線１５ｄより外側の部分を切除する。
【００４３】
こうして図２（ｂ）に符号１１ａで示す中間の型紙が形成される。
【００４４】
そして、図２（ｂ）図示のように、正四角形の頂点１２ａで交わる正四角形の二辺１３ａ、１３ｄと、直線１５ａとの交点１６ａ、１６ｂが求まる。
【００４５】
同様に、正四角形の頂点１２ｂで交わる正四角形の二辺１３ａ、１３ｂと、直線１５ｂとの交点１７ｂ、１７ａが求まる。
【００４６】
また、正四角形の頂点１２ｃで交わる正四角形の二辺１３ｂ、１３ｃと、直線１５ｃとの交点１８ｂ、１８ａが求まる。
【００４７】
更に、正四角形の頂点１２ｄで交わる正四角形の二辺１３ｃ、１３ｄと、直線１５ｄとの交点２０ｂ、２０ａが求まる。
【００４８】
次に、正四角形の辺１３ａに定められた２つの交点１６ａ、１７ｂの間を、正四角形の中心側に凸湾するように湾曲する湾曲線１９ａで結ぶ。そして、湾曲線１９ａより外側の部分を切除する。
【００４９】
同様に、正四角形の辺１３ｂに定められた２つの交点１７ａ、１８ｂの間を、正四角形の中心側に凸湾するように湾曲する湾曲線１９ｂで結ぶ。そして、湾曲線１９ｂより外側の部分を切除する。
【００５０】
また、正四角形の辺１３ｃに定められた２つの交点１８ａ、２０ｂの間を、正四角形の中心側に凸湾するように湾曲する湾曲線１９ｃで結ぶ。そして、湾曲線１９ｃより外側の部分を切除する。
【００５１】
更に、正四角形の辺１３ｄに定められた２つの交点２０ａ、１６ｂの間を、正四角形の中心側に凸湾するように湾曲する湾曲線１９ｄで結ぶ。そして、湾曲線１９ｄより外側の部分を切除する。
【００５２】
こうして図２（ｃ）に符号１１ｂで例示する本発明のキルト用型紙が作製される。
【００５３】
図３（ａ）〜図３（ｄ）は正四角形の台紙１１を出発形状として作製される本発明の他のキルト用型紙１１ｃを説明するものである。
【００５４】
図２（ａ）〜図２（ｃ）図示の実施例と同一の部分には同一の符号を付けてその説明を省略する。
【００５５】
正四角形の台紙１１の各頂点１２ａ、１２ｂ、１２ｃ、１２ｄを結ぶ仮想の円の、各頂点１２ａ、１２ｂ、１２ｃ、１２ｄを通る接線に平行な第一の直線１５ａ、１５ｂ、１５ｃ、１５ｄを正四角形の各頂点１２ａ、１２ｂ、１２ｃ、１２ｄより中心側において引き、第一の直線１５ａ、１５ｂ、１５ｃ、１５ｄより外側の部分を切除する（図３（ｂ））。
【００５６】
また、各第一の直線１５ａ、１５ｂ、１５ｃ、１５ｄと、正四角形の各頂点１２ａ、１２ｂ、１２ｃ、１２ｄで交わる正四角形の二辺１３ａ、１３ｄなどとの交点１６ａ、１６ｂ、１７ａ、１７ｂなどを求める。
【００５７】
そして、正四角形の各辺１３ａ、１３ｂ、１３ｃ、１３ｄに定められた前記２つの交点１６ａ、１７ｂの間を、正四角形の中心側に凸湾するように湾曲する第一の湾曲線１９ａ、１９ｂ、１９ｃ、１９ｄで結び、当該第一の湾曲線１９ａ、１９ｂ、１９ｃ、１９ｄより外側の部分を切除する（図３（ｃ））。
【００５８】
更に、第一の直線１５ａ、１５ｂ、１５ｃ、１５ｄより内側に第一の直線１５ａ、１５ｂ、１５ｃ、１５ｄに平行に第二の直線１５ａ´、１５ｂ´、１５ｃ´、１５ｄ´を引き、この第二の直線１５ａ´、１５ｂ´、１５ｃ´、１５ｄ´より外側の部分を切除する。
【００５９】
また、第二の直線１５ａ´、１５ｂ´、１５ｃ´、１５ｄ´と、第一の湾曲線１９ａ、１９ｂ、１９ｃ、１９ｄとの交点を求め、第一の湾曲線１９ａ、１９ｂ、１９ｃ、１９ｄに定められた２つの交点の間を、正四角形の中心側に向けて、第一の湾曲線１９ａ、１９ｂ、１９ｃ、１９ｄより大きく凸湾するように湾曲する第二の湾曲線１９ａ´、１９ｂ´、１９ｃ´、１９ｄ´で結ぶ。そして、第二の湾曲線１９ａ´、１９ｂ´、１９ｃ´、１９ｄ´より外側の部分を切除する（図３（ｄ））。
【００６０】
こうして、図３（ｄ）に符号１１ｃで例示する本発明のキルト用型紙が作製される。
【００６１】
次に、図４（ａ）〜図４（ｄ）を参照して正四角形の台紙１１を出発形状として作製される本発明の更に他のキルト用型紙１１ｄを説明する。
【００６２】
図２（ａ）〜図２（ｃ）、図３（ａ）〜図３（ｄ）図示の実施例と同一の部分には同一の符号を付けてその説明を省略する。
【００６３】
正四角形の台紙１１の各頂点１２ａ、１２ｂ、１２ｃ、１２ｄを結ぶ仮想の円の、各頂点１２ａ、１２ｂ、１２ｃ、１２ｄを通る接線に平行な第一の直線１５ａ、１５ｂ、１５ｃ、１５ｄを正四角形の各頂点１２ａ、１２ｂ、１２ｃ、１２ｄより中心側において引き、第一の直線１５ａ、１５ｂ、１５ｃ、１５ｄより外側の部分を切除する（図４（ｂ））。
【００６４】
各第一の直線１５ａ、１５ｂ、１５ｃ、１５ｄと、正四角形の各頂点１２ａ、１２ｂ、１２ｃ、１２ｄで交わる正四角形の二辺１３ａと１３ｄ、１３ａと１３ｂ、１３ｂと１３ｃ、１３ｃと１３ｄとの交点１６ａ、１６ｂを求める。
【００６５】
そして、正四角形の各辺１３ａ、１３ｂ、１３ｃ、１３ｄに定められた２つの交点１６ａ、１７ｂ、等の間を、正四角形の中心側に凸湾するように湾曲する第一の湾曲線１９ａ、１９ｂ、１９ｃ、１９ｄで結び、第一の湾曲線１９ａ、１９ｂ、１９ｃ、１９ｄより外側の部分を切除する（図４（ｃ））。
【００６６】
更に、正四角形の中心側に向けて第一の湾曲線１９ａ、１９ｂ、１９ｃ、１９ｄより大きく凸湾するように湾曲すると共に、各第一の直線１５ａ、１５ｂ、１５ｃ、１５ｄの方向に向かってなだらかに湾曲して向かい、各第一の直線１５ａ、１５ｂ、１５ｃ、１５ｄの中心に内側から接触する第三の湾曲線１９ａ´´、１９ｂ´´、１９ｃ´´、１９ｄ´´を引く。そして、第三の湾曲線１９ａ´´、１９ｂ´´、１９ｃ´´、１９ｄ´´より外側の部分を切除する（図４（ｄ））。
【００６７】
こうして、図４（ｄ）に符号１１ｄで例示する本発明のキルト用型紙が作製される。
【００６８】
図５（ａ）〜図５（ｃ）は正五角形の台紙２１を出発形状として作製される本発明のキルト用型紙２１ｂを説明するものである。詳細は、図１、図２を用いて説明したものと同様であるので、以下、簡略して説明する。
【００６９】
まず、正五角形の台紙２１の各頂点２２ａ、２２ｂ、２２ｃ、２２ｄ、２２ｅを結ぶ仮想の円３００を考える（図５（ａ））。
【００７０】
次に、頂点２２ａを通る仮想の円３００の接線に平行な直線２５ａを正五角形の頂点２２ａより中心側において引く。そして、直線２５ａより外側の部分を切除する。
【００７１】
同様に、頂点２２ｂを通る仮想の円３００の接線に平行な直線２５ｂを正五角形の頂点２２ｂより中心側において引く。そして、直線２５ｂより外側の部分を切除する。
【００７２】
また、頂点２２ｃを通る仮想の円３００の接線に平行な直線２５ｃを正五角形の頂点２２ｃより中心側において引く。そして、直線２５ｃより外側の部分を切除する。
【００７３】
更に、頂点２２ｄを通る仮想の円３００の接線に平行な直線２５ｄを正五角形の頂点２２ｄより中心側において引く。そして、直線２５ｄより外側の部分を切除する。
【００７４】
また、頂点２２ｅを通る仮想の円３００の接線に平行な直線２５ｅを正五角形の頂点２２ｅより中心側において引く。そして、直線２５ｅより外側の部分を切除する。
【００７５】
こうして図５（ｂ）に符号２１ａで示す中間の型紙が形成される。
【００７６】
そして、図５（ｂ）図示のように、正五角形の頂点２２ａで交わる正五角形の二辺２３ａ、２３ｅと、直線２５ａとの交点２６ａ、２６ｂが求まる。
【００７７】
同様に、正五角形の頂点２２ｂで交わる正五角形の二辺２３ａ、２３ｂと、直線２５ｂとの交点２７ｂ、２７ａが求まる。
【００７８】
そして、正五角形の辺２３ａに定められた２つの交点２６ａ、２７ｂの間を、正五角形の中心側に凸湾するように湾曲する湾曲線２９ａで結ぶ。そして、湾曲線２９ａより外側の部分を切除する。
【００７９】
こうして図５（ｃ）に示すように、辺２５ａ、湾曲線２９ａ、辺２５ｂ、湾曲線２９ｂ、辺２５ｃ、湾曲線２９ｃ、辺２５ｄ、湾曲線２９ｄ、辺２５ｅ、湾曲線２９ｅで外周が形成される本発明のキルト用型紙２１ｂが作製される。
【００８０】
図６（ａ）〜図６（ｃ）は正六角形の台紙３１を出発形状として作製される本発明のキルト用型紙３１ｂを説明するものである。詳細は、図１、図２を用いて説明したものと同様であるので、以下、簡略して説明する。
【００８１】
まず、正六角形の台紙３１の各頂点３２ａ、３２ｂ、３２ｃ、３２ｄ、３２ｅ、３２ｆを結ぶ仮想の円を考える（図６（ａ））。
【００８２】
次に、頂点３２ａを通る仮想の円の接線に平行な直線３５ａを正六角形の頂点３２ａより中心側において引く。そして、直線３５ａより外側の部分を切除する。
【００８３】
同様に、頂点３２ｂを通る仮想の円の接線に平行な直線３５ｂを正六角形の頂点３２ｂより中心側において引く。そして、直線３５ｂより外側の部分を切除する。
【００８４】
また、頂点３２ｃを通る仮想の円の接線に平行な直線３５ｃを正六角形の頂点３２ｃより中心側において引く。そして、直線３５ｃより外側の部分を切除する。
【００８５】
更に、頂点３２ｄを通る仮想の円の接線に平行な直線３５ｄを正六角形の頂点３２ｄより中心側において引く。そして、直線３５ｄより外側の部分を切除する。
【００８６】
また、頂点３２ｅを通る仮想の円の接線に平行な直線３５ｅを正六角形の頂点３２ｅより中心側において引く。そして、直線３５ｅより外側の部分を切除する。
【００８７】
また、頂点３２ｆを通る仮想の円の接線に平行な直線３５ｆを正六角形の頂点３２ｆより中心側において引く。そして、直線３５ｆより外側の部分を切除する。
【００８８】
こうして図６（ｂ）に符号３１ａで示す中間の型紙が形成される。
【００８９】
そして、図６（ｂ）図示のように、正六角形の頂点３２ａで交わる正六角形の二辺３３ａ、３３ｆと、直線３５ａとの交点３６ａ、３６ｂが求まる。
【００９０】
そして、正六角形の辺２３ａに定められた２つの交点３６ａ、３７ｂの間を、正六角形の中心側に凸湾するように湾曲する湾曲線３９ａで結ぶ。そして、湾曲線３９ａより外側の部分を切除する。
【００９１】
こうして図６（ｃ）に示すように、辺３５ａ、湾曲線３９ａ、辺３５ｂ、湾曲線３９ｂ、辺３５ｃ、湾曲線３９ｃ、辺３５ｄ、湾曲線３９ｄ、辺３５ｅ、湾曲線３９ｅ、辺３５ｆ、湾曲線３９ｆで外周が形成される本発明のヨーヨーキルト用型紙３１ｂが作製される。
【００９２】
図７（ａ）〜図７（ｃ）は正八角形の台紙４１を出発形状として作製される本発明のキルト用型紙４１ｂを説明するものである。詳細は、図１、図２を用いて説明したものと同様であるので、以下、簡略して説明する。
【００９３】
まず、正八角形の台紙４１の各頂点４２ａ、４２ｂ、４２ｃ、４２ｄ、４２ｅ、４２ｆ、４２ｇ、４２ｈを結ぶ仮想の円を考える（図７（ａ））。
【００９４】
次に、頂点４２ａを通る仮想の円の接線に平行な直線４５ａを正八角形の頂点４２ａより中心側において引く。そして、直線４５ａより外側の部分を切除する。
【００９５】
こうして図７（ｂ）に符号４１ａで示す中間の型紙が形成される。
【００９６】
そして、図７（ｃ）に示すように、辺４５ａ、湾曲線４９ａ、辺４５ｂ、湾曲線４９ｂ、辺４５ｃ、湾曲線４９ｃ、辺４５ｄ、湾曲線４９ｄ、辺４５ｅ、湾曲線４９ｅ、辺４５ｆ、湾曲線４９ｆ、辺４５ｇ、湾曲線４９ｇ、辺４５ｈ、湾曲線４９ｈで外周が形成される本発明のキルト用型紙４１ｂが作製される。
【００９７】
以上のようにして、種々の正多角形の台紙を出発形状として本発明のキルト用型紙を作製することができる。
【００９８】
本発明のキルト用型紙は、平面視で、符号１ｂ（図１）、符号１１ｂ（図２）、符号１１ｃ（図３）、符号１１ｄ（図４）、符号２１ｂ（図５）、符号３１ｂ（図６）、符号４１ｂ（図７）にて例示されている形状からなるものである。
【００９９】
これは、基本的には、正多角形の各頂点に対応する部分が切除され、その切除により形成された隣接する辺同士の間を、当該正多角形の中心側、すなわち内側に向けて湾曲するように凸湾させたものである。
【０１００】
なお、図４に符号１１ｂで示すキルト用型紙１１ｄでは、正多角形の各頂点に対応する部分が切除され、その切除により形成された辺の部分も、湾曲線になるようにしている。
【０１０１】
このように、正多角形の各頂点に対応する部分が切除され、その切除により形成された隣接する辺同士の間を、当該正多角形の中心側、すなわち内側に向けて湾曲するように凸湾させた本発明のキルト用型紙を用い、これに合わせて切断形成した生地を用いてヨーヨーキルトを製作することができる。そして、このような本発明のキルト用型紙を用いて製作した本発明のヨーヨーキルトは前記の正多角形に対応した多角形状になり、この多角形の各辺を明確に有するものとなる。更に、製作した多角形状のヨーヨーキルトの中央部に形成される円形状の穴の周囲から多角形状の外周辺側に向かって放射状に延びるギャザーを形成する皺は、多角形の各頂点に向かう方向においてのみ形成される。すなわち、ギャザーを形成する皺が、立体的なヨーヨーキルト、すなわち３Ｄキルトの形成に利用できるよう、平面視で多角形状のヨーヨーキルトの各頂点に向かう方向においてのみ形成される。
【０１０２】
この結果、本発明のキルト用型紙を用い、これに合わせて切断形成した生地を用いてヨーヨーキルトを製作すると、立体的なヨーヨーキルト、すなわち３Ｄキルトを製作することができる。
【０１０３】
これは、前述したように、本発明のキルト用型紙が、平面視で、正多角形の各頂点に対応する部分が切除され、その切除により形成された隣接する辺同士の間を、当該正多角形の中心側、すなわち内側に向けて湾曲するように凸湾させた形状を有していることから実現されるものである。
【０１０４】
この実施例では、前述した作成方法により本発明のキルト用型紙を説明したが、前述した作成方法によらなくても、平面視で、正多角形の各頂点に対応する部分が切除され、その切除により形成された隣接する辺同士の間を、当該正多角形の中心側、すなわち内側に向けて湾曲するように凸湾させた形状を有しているものであれば、すべて、本発明のキルト用型紙の権利範囲に含まれる。
【０１０５】
なお、台紙１、１１、２１、３１などには、紙や、合成樹脂、等、この技術分野で通常使用されている素材を利用できる。
【実施例２】
【０１０６】
実施例１で説明した本発明のキルト用型紙を利用して、本発明の方法により本発明のヨーヨーキルトを作製する方法について説明する。
【０１０７】
本発明のキルト作製方法は、実施例１で説明した本発明のキルト用型紙に合わせて切断した生地を使用する以外は、従来、行われているヨーヨーキルトの作製方法と同一である。
【０１０８】
一例を説明すると以下の通りである。
【０１０９】
図８（ａ）〜図８（ｆ）は、図２（ａ）〜図２（ｃ）を用いて説明した本発明のキルト用型紙１１ｂを用いて図８（ｆ）図示の本発明のヨーヨーキルトを作製する工程を説明するものである。
【０１１０】
キルト用型紙１１ｂに合わせて生地６０を切断する（図８（ａ）、図８（ｂ））。生地６０は、例えば、６ｃｍ角の大きさとし、キルト用型紙１１ｂは、この大きさに対応している。
【０１１１】
次に、切断した生地６１の周囲６２を所定の幅（例えば、５〜８ｍｍ）で生地６０の裏側６１ｂに折り返す（図８（ｃ））。
【０１１２】
ここで、周囲６２は、前述し、図２（ｃ）に図示したように、辺１５ａ、湾曲線１９ａ、辺１５ｂ、湾曲線１９ｂ、辺１５ｃ、湾曲線１９ｃ、辺１５ｄ、湾曲線１９ｄで形成されている。
【０１１３】
次いで、前述したように生地６０の裏側６１ｂに折り返したことによって形成された外周である折り山６３から所定の間隔（例えば、２〜３ｍｍ）の部分を所定の針目で、針８０、キルト糸８１によってぐし縫いする（図８（ｄ））。
【０１１４】
キルト糸８１としては、強めの糸であれば種々のものをキルト糸８１として使用することができる。
【０１１５】
所定の針目は、例えば、約８ｍｍ程度にすることができる。
【０１１６】
こうして生地６１の周囲６２を縫い終えた後、外表６１ａにしてキルト糸８１を絞り（図８（ｅ））、中央部に形成される穴６３を絞って玉止めする（図８（ｆ））。
【０１１７】
このようにして作製した図８（ｆ）図示の本発明のヨーヨーキルトは、図８図示の実施例の場合、正四角形の台紙１１を出発形状として図２を用いて説明したように作製した本発明のキルト用型紙１１ｂを用いているので、四角形状となり、四つの辺６４ａ、６４ｂ、６４ｃ、６４ｄを明確に有するものになる。
【０１１８】
そこで、図８（ｆ）図示の本発明のヨーヨーキルトを複数個、平面の上に互いに隣接させて配置し、隣接するヨーヨーキルト同士をつなげる場合、隣接するヨーヨーキルト同士のすべての辺をつなぐことができる。この結果、複数個のヨーヨーキルトを平面の上に互いに隣接させて配置し、隣接するヨーヨーキルト同士をつなげるときに、安定感を持ってつなげることができる。
【０１１９】
また、中央部の円形状の穴６３ａの周囲から四角形状の外周辺６４ａ、６４ｂ、６４ｃ、６４ｄ側に向かって放射状にギャザーを形成する皺は、図８（ｆ）に符号６５ａ、６５ｂ、６５ｃ、６５ｄで示すように、四角形の各頂点に向かう方向においてのみ形成される。
【０１２０】
この四角形の各頂点に向かう方向においてのみ形成される、符号６５ａ、６５ｂ、６５ｃ、６５ｄで示す、ギャザーを形成する皺が、立体的なヨーヨーキルト、すなわち３Ｄキルトの形成に利用される。
【０１２１】
この結果、本発明のキルト用型紙１１ｂを用い、これに合わせて切断形成した生地６１を用いて作製した図８（ｆ）図示のヨーヨーキルトは、符号６５ａ、６５ｂ、６５ｃ、６５ｄで示す、ギャザーを形成する皺の部分にふくらみを持たせることにより、立体的なヨーヨーキルト、すなわち３Ｄキルトとすることができる。
【０１２２】
図９（ａ）〜図９（ｆ）は、図１（ａ）〜図１（ｃ）を用いて説明した本発明のキルト用型紙１ｂを用いて図９（ｆ）図示の本発明のヨーヨーキルトを作製する工程を説明するものである。
【０１２３】
キルト用型紙１ｂに合わせて生地７０を切断する（図９（ａ）、図９（ｂ））。生地７０は、例えば、一辺が１０ｃｍの大きさとし、キルト用型紙１ｂは、この大きさに対応している。
【０１２４】
次に、切断した生地７１の周囲７２を所定の幅（例えば、５〜８ｍｍ）で生地７０の裏側７１ｂに折り返す（図９（ｃ））。
【０１２５】
ここで、周囲７２は、前述し、図１（ｃ）に図示したように、辺５ａ、湾曲線９ａ、辺５ｂ、湾曲線９ｂ、辺５ｃ、湾曲線９ｃで形成されている。
【０１２６】
次いで、前述したように生地７０の裏側７１ｂに折り返したことによって形成された外周である折り山７３から所定の間隔（例えば、２〜３ｍｍ）の部分を所定の針目で、針８０、キルト糸８１によってぐし縫いする（図９（ｄ））。
【０１２７】
キルト糸８１としては、強めの糸であれば種々のものをキルト糸８１として使用することができる。
【０１２８】
所定の針目は、例えば、約８ｍｍ程度にすることができる。
【０１２９】
こうして生地７１の周囲７２を縫い終えた後、外表７１ａにしてキルト糸８１を絞り（図９（ｅ））、中央部に形成される穴７３を絞って玉止めする（図９（ｆ））。
【０１３０】
このようにして作製した図９（ｆ）図示の本発明のヨーヨーキルトは、図９図示の実施例の場合、正三角形の台紙１を出発形状として図１を用いて説明したように作製した本発明のキルト用型紙１ｂを用いているので、三角形状となり、三つの辺７４ａ、７４ｂ、７４ｃを明確に有するものになる。
【０１３１】
そこで、図９（ｆ）図示の本発明のヨーヨーキルトを複数個、平面の上に互いに隣接させて配置し、隣接するヨーヨーキルト同士をつなげる場合、隣接するヨーヨーキルト同士のすべての辺をつなぐことができる。この結果、複数個のヨーヨーキルトを平面の上に互いに隣接させて配置し、隣接するヨーヨーキルト同士をつなげるときに、安定感を持ってつなげることができる。
【０１３２】
また、中央部の円形状の穴７３ａの周囲から三角形状の外周辺７４ａ、７４ｂ、７４ｃ側に向かって放射状にギャザーを形成する皺は、図９（ｆ）に符号７５ａ、７５ｂ、７５ｃで示すように、三角形の各頂点に向かう方向においてのみ形成される。
【０１３３】
この三角形の各頂点に向かう方向においてのみ形成される、符号７５ａ、７５ｂ、７５ｃで示す、ギャザーを形成する皺が、立体的なヨーヨーキルト、すなわち３Ｄキルトの形成に利用される。
【０１３４】
この結果、本発明のキルト用型紙１ｂを用い、これに合わせて切断形成した生地７１を用いて作製した図９（ｆ）図示のヨーヨーキルトは、符号７５ａ、７５ｂ、７５ｃで示す、ギャザーを形成する皺の部分にふくらみを持たせることにより、立体的なヨーヨーキルト、すなわち３Ｄキルトとすることができる。
【０１３５】
以上説明したように、本発明のキルト用型紙を用い、これに合わせて切断形成した生地を用いてヨーヨーキルトを製作すると、製作したヨーヨーキルトはキルト用型紙を形成する際の出発形状に対応した多角形状になる。そして、製作した多角形状のヨーヨーキルトは、この多角形の各辺を明確に有するものとなる。
【０１３６】
そこで、本発明のキルト用型紙を用い、これに合わせて切断形成した生地を用いて多角形状のヨーヨーキルトを製作すると、製作した多角形状のヨーヨーキルトを複数個、平面の上に互いに隣接させて配置し、隣接するヨーヨーキルト同士をつなげるときに、安定感を持ってつなげることができる。
【０１３７】
また、前記のように製作した多角形状のヨーヨーキルトの中央部に形成される円形状の穴の周囲から多角形状の外周辺側に向かって放射状にギャザーを形成する皺は、多角形の各頂点に向かう方向においてのみ形成される。この多角形の各頂点に向かう方向においてのみ形成される、ギャザーを形成する皺が、立体的なヨーヨーキルト、すなわち３Ｄキルトの形成に利用される。
【０１３８】
この結果、本発明のキルト用型紙を用い、これに合わせて切断形成した生地を用いて作製したヨーヨーキルトは、ギャザーを形成する皺の部分にふくらみを持たせることにより、立体的なヨーヨーキルト、すなわち３Ｄキルトとすることができる。
【０１３９】
以上、添付図面を参照して本発明の好ましい実施形態、実施例を説明したが、本発明はかかる実施形態、実施例に限定されるものではなく、特許請求の範囲の記載から把握される技術的範囲において種々の形態に変形可能である。
【図面の簡単な説明】
【０１４０】
【図１】（ａ）〜（ｃ）は正三角形の台紙を出発形状として本発明のキルト用型紙を作製する工程を説明する平面図。
【図２】（ａ）〜（ｃ）は正四角形の台紙を出発形状として本発明のキルト用型紙を作製する工程を説明する平面図。
【図３】（ａ）〜（ｄ）は正四角形の台紙を出発形状として本発明の他のキルト用型紙を作製する工程を説明する平面図。
【図４】（ａ）〜（ｄ）は正四角形の台紙を出発形状として本発明の更に他のキルト用型紙を作製する工程を説明する平面図。
【図５】（ａ）〜（ｃ）は正五角形の台紙を出発形状として本発明のキルト用型紙を作製する工程を説明する平面図。
【図６】（ａ）〜（ｃ）は正六角形の台紙を出発形状として本発明のキルト用型紙を作製する工程を説明する平面図。
【図７】（ａ）〜（ｃ）は正八角形の台紙を出発形状として本発明のキルト用型紙を作製する工程を説明する平面図。
【図８】（ａ）〜（ｆ）は、図２（ａ）〜図２（ｃ）を用いて説明した本発明のキルト用型紙を用いて本発明のヨーヨーキルトを作製する本発明の工程を説明する図であって、（ａ）は斜視図、（ｂ）〜（ｆ）は平面図。
【図９】（ａ）〜（ｆ）は、図１（ａ）〜図１（ｃ）を用いて説明した本発明のキルト用型紙を用いて本発明のヨーヨーキルトを作製する本発明の工程を説明する図であって、（ａ）は斜視図、（ｂ）〜（ｆ）は平面図。
【符号の説明】
【０１４１】
１  正三角形の台紙
２ａ、２ｂ、２ｃ  正三角形の台紙の頂点
１００  仮想の円
４ａ、４ｂ、４ｃ  接線
５ａ、５ｂ、５ｃ  直線
６ａ、６ｂ、７ａ、７ｂ、８ａ、８ｂ  交点
９ａ、９ｂ、９ｃ  湾曲線
１ｂ、１１ｂ、１１ｃ、１１ｄ、２１ｂ、３１ｂ、４１ｂ  キルト用型紙
１１  正四角形の台紙
１２ａ、１２ｂ、１２ｃ、１２ｄ  正四角形の台紙の頂点
１５ａ、１５ｂ、１５ｃ、１５ｄ  直線
１６ａ、１６ｂ、１７ａ、１７ｂ、１８ａ、１８ｂ  交点
１９ａ、１９ｂ、１９ｃ、１９ｄ  湾曲線
６０、７０  生地
６１、７１  切断した生地
６１ａ、７１ａ  生地の外表
６１ｂ、７１ｂ  生地の裏側
６２、７２  切断した生地の周囲
６３、７３  折り山
６３、６３ａ、７３、７３ａ  穴
６４ａ、６４ｂ、６４ｃ、６４ｄ  ヨーヨーキルトの外周辺
７４ａ、７４ｂ、７４ｃ  ヨーヨーキルトの外周辺
８１  キルト糸
【要約】
【課題】複数個のヨーヨーキルトを平面の上に互いに隣接させて配置し、隣接するヨーヨーキルト同士をつなげるときに、安定感を持ってつなげることが可能で、立体感を有するヨーヨーキルトを提供する
【解決手段】正多角形の台紙の各頂点を結ぶ仮想の円の各頂点を通る接線に平行な直線を当該正多角形の各頂点より中心側において引き、当該直線より外側の部分を切除し、前記各直線と、前記正多角形の各頂点で交わる前記正多角形の二辺との交点を求め、前記正多角形の各辺に定められた前記２つの交点の間を、当該正多角形の中心側に凸湾するように湾曲する湾曲線で結び、当該湾曲線より外側の部分を切除して得たキルト用型紙。当該キルト用型紙に合わせて切断した生地を用いるヨーヨーキルトの作製方法。
【選択図】図８【図１】
0004081798.tif 000002
【図２】
0004081798.tif 000003
【図３】
0004081798.tif 000004
【図４】
0004081798.tif 000005
【図５】
0004081798.tif 000006
【図６】
0004081798.tif 000007
【図７】
0004081798.tif 000008
【図８】
0004081798.tif 000009
【図９】
0004081798.tif 000010